(57)【特許請求の範囲】
【請求項１】
液透過性の不織布により構成される表面シート、液不透過性の裏面層、及び該表面シートと該裏面層の間に配置される吸収体を備えると共に、互いに対向する第１端部及び第２端部と、該第１端部及び該第２端部に直交し互いに対向する一対の側部と、を有して矩形形状に構成され、ペットの胴回りに巻きつけられて装着されるペット用吸収性物品であって、
前記第１端部の近傍の前記表面シート側に、前記ペット用吸収性物品の幅方向に延びて配置される係合部材と、
前記第２端部の近傍の前記裏面層側に設けられ前記係合部材に係合可能な被係合部と、
前記係合部材と前記表面シートとの間に配置されると共に該係合部材の少なくとも一部と重なる領域に位置し、前記係合部材に接合された部位の剥離力が、前記表面シートが前記係合部材に接合された場合における該表面シートの剥離力よりも大きい補強部材と、を更に備え、
前記補強部材は、前記係合部材の長手方向の一端部の近傍及び他端部の近傍に配置され、
前記係合部材の長手方向の中央部は、前記表面シートに接合されるペット用吸収性物品。
【請求項２】
前記補強部材の前記ペット用吸収性物品の長手方向に沿う方向における長さは、前記係合部材の幅方向の長さよりも長い請求項１に記載のペット用吸収性物品。
【請求項３】
前記一対の側部それぞれにおける前記表面シート側に配置されると共に、外側縁が前記表面シート又は前記裏面層に接合され内側縁の少なくとも一部が自由端となった一対のサイドシートを更に備え、
前記補強部材は、前記一対のサイドシートの一部により構成される請求項１又は２に記載のペット用吸収性物品。
【請求項４】
前記裏面層は、前記係合部材に係合可能な不織布を含んで構成され、前記被係合部は、前記裏面層により構成される請求項１〜３のいずれかに記載のペット用吸収性物品。
【請求項５】
前記表面シートの剥離力は１．０Ｎ〜３．０Ｎであり、前記補強部材の剥離力は、２．５Ｎ〜６．０Ｎである請求項１〜４のいずれかに記載のペット用吸収性物品。
【発明の詳細な説明】
【技術分野】
【０００１】
本発明は、犬やネコ等のペットの胴回りに巻きつけて用いられるペット用吸収性物品に関する。
【背景技術】
【０００２】
従来、犬やネコ等のペットに用いられるペット用使い捨ておむつが提案されている。このようなペット用使い捨ておむつは、装着状態において、ペットの肛門部及び後足の付け根間に位置する尿道口を覆うことで、ペットの糞及び尿を捕捉している。
【０００３】
ところで、ペットの種類（例えば、胴長短足犬であるミニチュアダックスフンド）によっては、尿道口の位置が後足の付け根間よりも前方に位置する場合がある。また、雄犬は、雌犬に比して、尿道口が前方に位置する。このように、尿道口が後足の付け根間よりも前方に位置するペットに、ペット用使い捨ておむつを装着した場合には、おむつから尿道口が露出してしまい、ペットの尿がもれてしまう場合があった。
【０００４】
そこで、帯状に構成されると共に、ペットの胴回り部に巻きつけて装着されるペット用吸収性物品が提案されている（例えば、特許文献１参照）。
このような、帯状に構成されたペット用吸収性物品によれば、尿道口の位置にかかわらず、確実に尿道口を覆って装着させられる。
【先行技術文献】
【特許文献】
【０００５】
【特許文献１】特開２００７−２０５３３号公報
【発明の概要】
【発明が解決しようとする課題】
【０００６】
特許文献１で提案されたような、胴回りに巻きつけて用いられるペット用吸収性物品は、液透過性の表面シートと、液不透過性の裏面シートと、これら表面シートと裏面シートとの間に配置される吸収体と、を備えて構成されている。そして、このペット用吸収性物品の長手方向の一端部の外面（裏面シート側）及び長手方向の他端部の内面（表面シート側）には、それぞれ、互いに係合可能な係合部材（例えば、フックテープとループ材）が配置されている。
【０００７】
特許文献１で提案されたペット用吸収性物品は、例えば、以下の手順でペットに装着される。
まず、ペット用吸収性物品の長手方向の一端部をペットの背中に位置させて、この一端部を装着者の一方の手で押さえることで、ペットの背中に沿わせる。次いで、ペット用吸収性物品の他端部側を他方の手で持って、ペット用吸収性物品がペットの腹側を覆うように巻きつける。次いで、ペット用吸収性物品の他端部を引っ張って、ペット用吸収性物品の長手方向に沿う側部と、ペットの胴回りとを密着させ、この状態で、ペット用吸収性物品の一端部の外面と他端部の内面とを係合させる。これにより、ペット用吸収性物品がペットの胴回りに好適に巻きつけられた状態が保持される。
【０００８】
ところで、ペット用吸収性物品は、排泄コントロールがある程度できているペットに対して、失禁の予防のために装着される場合がある。このような場合には、ペット用吸収性物品は、一度の使用によっては汚れないこともあるため、一枚のペット用吸収性物品を繰り返しペットに着脱させる。
ここで、吸収性物品においては、通常、表面シートには、肌触りを向上させるために嵩高な不織布が用いられており、このような嵩高な不織布は、剥離強度に劣る。そのため、上述の係合部材をペット用吸収性物品の内面側（表面シート側）に配置した場合には、ペット用吸収性物品を繰り返しペットに着脱させると、係合部材同士の係合を解除するときに付加される力により、表面シートにおける係合部材と表面シートとの接合部分が破損してしまう。
【０００９】
従って、本発明は、表面シート側に係合部材を配置した場合であっても、表面シートを破損することなく繰り返し着脱可能なペット用吸収性物品を提供することを目的とする。
【課題を解決するための手段】
【００１０】
本発明は、液透過性の不織布により構成される表面シート、液不透過性の裏面層、及び該表面シートと該裏面層の間に配置される吸収体を備えると共に、互いに対向する第１端部及び第２端部と、該第１端部及び該第２端部に直交し互いに対向する一対の側部と、を有して矩形形状に構成され、ペットの胴回りに巻きつけられて装着されるペット用吸収性物品であって、前記第１端部の近傍の前記表面シート側に、前記ペット用吸収性物品の幅方向に延びて配置される係合部材と、前記第２端部の近傍の前記裏面層側に設けられ前記係合部材に係合可能な被係合部と、前記係合部材と前記表面シートとの間に配置されると共に該係合部材の少なくとも一部と重なる領域に位置し、前記係合部材に接合された部位の剥離力が、前記表面シートが前記係合部材に接合された場合における該表面シートの剥離力よりも大きい補強部材と、を更に備えるペット用吸収性物品に関する。
【００１１】
また、前記補強部材は、前記係合部材の長手方向の一端部の近傍及び他端部の近傍に配置され、前記係合部材の長手方向の中央部は、前記表面シートに接合されることが好ましい。
【００１２】
また、前記補強部材の前記ペット用吸収性物品の長手方向に沿う方向における長さは、前記係合部材の幅方向の長さよりも長いことが好ましい。
【００１３】
また、前記一対の側部それぞれにおける前記表面シート側に配置されると共に、外側縁が前記表面シート又は前記裏面層に接合され内側縁の少なくとも一部が自由端となった一対のサイドシートを更に備え、前記補強部材は、前記一対のサイドシートの一部により構成されることが好ましい。
【００１４】
また、前記裏面層は、前記フック部材に係合可能な不織布を含んで構成され、前記被係合部は、前記裏面層により構成されることが好ましい。
【００１５】
また、前記表面シートの剥離力は１．０Ｎ〜３．０Ｎであり、前記補強部材の剥離力は、２．５Ｎ〜６．０Ｎであることが好ましい。
【発明の効果】
【００１６】
本発明によれば、表面シート側に係合部材を配置した場合であっても、表面シートを破損することなく繰り返し着脱可能なペット用吸収性物品を提供できる。
【図面の簡単な説明】
【００１７】
【図１】本発明の第１実施形態に係るペット用吸収性物品を示す斜視図である。
【図２】第１実施形態のペット用吸収性物品を表面シート側から視た平面図である。
【図３】第１実施形態のペット用吸収性物品を裏面層側から視た平面図である。
【図４】図２のＡ−Ａ線断面図である。
【図５】図１のＢ−Ｂ線断面図である。
【図６】図２のＣ−Ｃ線断面図である。
【図７】第１実施形態のペット用吸収性物品をペットに装着する過程を示す図であり、第２端部側をペットの背中に位置させた状態を示す図である。
【図８】第１実施形態のペット用吸収性物品をペットの胴回りに装着した状態を示す図である。
【図９】第２実施形態のペット用吸収性物品を表面シート側から視た平面図である。
【図１０】第３実施形態のペット用吸収性物品を表面シート側から視た平面図である。
【図１１】図１０のＤ−Ｄ線断面図である。
【発明を実施するための形態】
【００１８】
以下、本発明のペット用吸収性物品の好ましい各実施形態について、図面を参照しながら説明する。まず、第１実施形態のペット用吸収性物品１について、図１〜図６を参照しながら説明する。
【００１９】
第１実施形態のペット用吸収性物品１は、図１〜図３に示すように、互いに対向する第１端部１１及び第２端部１２と、これら第１端部１１及び第２端部１２に直交し互いに対向する一対の側部１７と、を有して矩形形状に構成され、ペットの胴回り部に巻きつけて装着される。このペット用吸収性物品１は、尿道口が後足の付け根間よりも前方に位置するペット（例えば、ミニチュアダックスフンド等の胴長短足犬）に特に好適に用いられる。
【００２０】
ペット用吸収性物品１は、図１〜図６に示すように、液透過性の表面シート２と、液不透過性の裏面層３を構成する裏面シート３１及び防水シート３２と、吸収体４と、一対のサイドシート５と、第１弾性部材６１及び第２弾性部材６２と、係合部材としてのフックテープ７と、被係合部８と、補強部材９を備える。
【００２１】
表面シート２は、矩形形状に構成される。表面シート２は、主として、装着対象のペットの身体に当接する側の面を構成する。表面シート２としては、有孔又は無孔の不織布を用いることができる。具体的には、表面シート２としては、高い液透過性を保ちつつ装着対象のペットの身体に柔らかな感触を与える観点から、坪量が１５ｇ／ｍ２〜３０ｇ／ｍ２の嵩高な不織布が好適に用いられる。このような坪量が１５ｇ／ｍ２〜３０ｇ／ｍ２の表面シート２の剥離力は、１．０Ｎ〜３．０Ｎである。表面シート２の剥離力の詳細については後述する。
【００２２】
裏面シート３１は、図３〜図６に示すように、表面シート２よりも幅広で、表面シート２と略等しい長さの矩形形状に構成される。裏面シート３１は、ペット用吸収性物品１の反身体側の面を構成する。
防水シート３２は、裏面シート３１よりも幅狭、かつ、表面シート２よりも幅広に構成され、裏面シート３１における表面シート２側の面に配置される。
裏面シート３１及び防水シート３２としては、疎水性の不織布、不透水性のプラスティックフィルム、不織布と不透水性プラスティックフィルムとのラミネートシート、耐水性の高いメルトブローン不織布を強度の強いスパンボンド不織布で挟んだＳＭＳ不織布等を用いることができる。第１実施形態では、裏面シート３１は、後述のフックテープ７に係合可能な不織布により構成される。また、裏面シート３１は、表面シート２よりも剥離力の大きな不織布により構成される。
尚、本明細書における「係合」とは、複数の部材を機械的に止着することを示す。
【００２３】
吸収体４は、図５に示すように、重ね合わせられた表面シート２及び裏面層３の間に介在配置される。吸収体４は、図２及び図３に示すように、表面シート２及び裏面シート３１よりも幅が狭く、かつ、長さの短い矩形形状に構成される。吸収体４は、平面視において、表面シート２及び裏面シート３１の幅方向の略中央部に、長手方向の一端側から他端側に亘って配置される。吸収体４としては、フラッフ状パルプ及び高吸収ポリマーを、ティッシュ等のコアラップ材により被覆したものを用いることができる。
吸収体４に用いられるフラッフ状パルプとしては、例えば、化学パルプ、セルロース繊維、レーヨン、アセテート等の人工セルロース繊維が挙げられる。高吸収ポリマーとしては、デンプン系、アクリル酸系、アミノ酸系の粒子状又は繊維状のポリマーが挙げられる。
【００２４】
一対のサイドシート５は、図２に示すように、細長い矩形形状に構成され、表面シート２の長手方向に沿う側部の身体側にそれぞれ配置される。一対のサイドシート５の長さは、表面シート２及び裏面シート３１の長さと略等しく構成される。一対のサイドシート５の外側縁は、図４及び図５に示すように、裏面シート３１の側縁の位置と一致している。一対のサイドシート５の外側縁側は、裏面シート３１の側部に接合されている。
【００２５】
一対のサイドシート５の内側縁の一部は、図１及び図５に示すように、自由端となっている。より具体的には、一対のサイドシート５の内側縁は、図４及び図６に示すように、ペット用吸収性物品１の長手方向ＬＤの一端側に位置する第１端部１１近傍、及び他端側に位置する第２端部１２近傍において、表面シート２に接合されている。そして、一対のサイドシート５の内側縁は、図１及び図５に示すように、一対のサイドシート５における長手方向ＬＤの一端部及び他端部を除く部分において、自由端となっている。
第１実施形態では、一対のサイドシート５は、第１端部１１及び第２端部１２から第１長さＬ１の範囲の領域において、ホットメルト接着剤（図示せず）により、表面シート２に接合されている。
【００２６】
サイドシート５としては、撥水性又は疎水性を有するものが好ましく用いられ、具体的には、スパンレース不織布、スパンボンド不織布、サーマルボンド不織布、メルトブローン不織布、ニードルパンチ不織布、エアスルー不織布等の各種不織布を用いることができる。不織布を構成する素材繊維としてはポリエチレン又はポリプロピレン等のオレフィン系、ポリエステル系、ポリアミド系等の合成繊維の他、レーヨンやキュプラ等の再生繊維、綿等の天然繊維を用いることができる。第１実施形態では、サイドシート５は、表面シート２よりも剥離力の大きい不織布により構成される。サイドシート５の剥離力の詳細については、後述する。
【００２７】
第１弾性部材６１は、図１〜図３に示すように、一対のサイドシート５それぞれの内側縁近傍に配置される。より具体的には、第１弾性部材６１は、図５に示すように、内側縁側で折り返されたサイドシート５の間に挟まれると共に、ホットメルト接着剤により伸長状態でサイドシート５に固定される。第１弾性部材６１は、図２及び図３に示すように、伸長状態において、吸収体４の長手方向の長さと略同じ長さで一対のサイドシート５に配置される。
【００２８】
第２弾性部材６２は、図１〜図３に示すように、ペット用吸収性物品１の長手方向ＬＤに沿う一対の側部１７それぞれに配置される。より具体的には、第２弾性部材６２は、図５に示すように、一対のサイドシート５と裏面シート３１との間に配置される。また、第２弾性部材６２は、伸長状態で、ホットメルト接着剤により、サイドシート５及び裏面シート３１に固定される。
第２弾性部材６２は、伸長状態において、吸収体４の長手方向の長さと略同じ長さでペット用吸収性物品１の長手方向ＬＤに沿う一対の側部１７それぞれに配置される。
【００２９】
第１弾性部材６１及び第２弾性部材６２としては、細長く、伸び縮みする材料であればよく、天然ゴムからなる糸状ゴム、平ゴム等や、ウレタン、エチレン−酢酸ビニル共重合体（ＥＶＡ）、ＰＥ等の熱可塑性エラストマーを用いることができる。更に具体的には、熱可塑性エラストマーとしては、ポリブタジエン、ポリイソプレン、スチレン−ブタジエン共重合体、スチレン−イソプレン共重合体、ポリウレタン、エチレン−酢酸ビニル共重合体、エチレン−αオレフィン共重合体等を糸状に成形するか又はフィルムに成型し細幅にスリットしたものが挙げられる。
【００３０】
フックテープ７は、図１〜図３に示すように、第１端部１１の内面（表面シート２側の面）に配置される。フックテープ７は、矩形形状に構成され、フックテープ７の長手方向がペット用吸収性物品１の幅方向ＷＤに沿うように配置されて、ホットメルト接着剤（図示せず）により第１端部１１の内面に接合される。より具体的には、図２及び図４に示すように、フックテープ７は、長手方向における中央領域が表面シート２に接合され、長手方向の一端側及び他端側がサイドシート５に接合される。
【００３１】
フックテープ７の長手方向の長さＷ１は、吸収体４の幅Ｗ２よりも長く構成される。このフックテープ７の長手方向の長さＷ１は、ペット用吸収性物品１をペットに装着する場合の第１端部１１と第２端部１２との係合力を好適に得る観点から、ペット用吸収性物品１の幅方向ＷＤの長さＷ３の３０％〜８０％であることが好ましく、４５％〜７０％であることがより好ましい。また、フックテープ７の幅方向の長さＬ２は、上述の第１長さＬ１よりも短く構成される。
【００３２】
フックテープ７は、図４に示すように、矩形形状の基部７１と、この基部７１の一方の面に設けられる複数のフック部７２と、を備える。
フックテープ７は、ポリプロピレン等の合成樹脂材により基部７１及び複数のフック部７２が一体的に形成される。
【００３３】
被係合部８は、図１〜図３に示すように、第２端部１２の近傍の外面（裏面層３側）に設けられる。第１実施形態では、被係合部８は、フックテープ７に係合可能な裏面シート３１により構成される。
【００３４】
補強部材９は、フックテープ７と表面シート２との間に配置される。この補強部材９は、フックテープ７の長手方向の一端側及び他端側におけるフックテープ７と表面シート２との間に配置され、フックテープ７の長手方向の中央領域における表面シート２との間には配置されない。
第１実施形態では、補強部材９は、一対のサイドシート５の一部により構成される。より具体的には、補強部材９は、一対のサイドシート５における第１端部１１から第１長さＬ１の範囲の領域、即ち、一対のサイドシート５における表面シート２との接合部分により構成される。
補強部材９は、表面シート２よりも大きな剥離力を有する不織布により構成される。具体的には、補強部材９の剥離力は、補強部材としての機能を十分に発揮させる観点から、好ましくは２．５Ｎ〜６．０Ｎ、より好ましくは３．５Ｎ〜５．５Ｎである。
【００３５】
本明細書において、剥離力は、表面シート２又は補強部材９（サイドシート５）に、粘着材を用いてフックテープ７を接合した状態から、フックテープ７と表面シート２又は補強部材９とを剥離する方向に引っ張った場合において、フックテープ７が表面シート２又は補強部材９から剥離を開始する力（単位Ｎ）で表される。
具体的には、剥離力は、以下の方法で測定する。
【００３６】
まず、測定対象となる不織布及びフックテープをそれぞれ、２５ｍｍ×７０ｍｍの大きさに切断し、これら不織布とフックテープとを粘着材（住友スリーエム株式会社製、商品名：Ｓｃｏｔｃｈ  ９４５８）を用いて接合する。粘着材の塗布量は、２０ｇ／ｍ２とした。尚、粘着材の塗布量は、２０ｇ／ｍ２に限らない。即ち、粘着材の塗布量は、接合された不織布及びフックテープを剥離した場合に、不織布とフックテープとの界面における不織布側で剥離が行われる塗布量であればよい。
次いで、不織布とフックテープとを接合したサンプルを、１ｋｇのおもりで１５秒間押さえ、これを１０回繰り返す。
次いで、不織布とフックテープとを接合したサンプルの端部をオートグラフ（株式会社島津製作所製、形式：ＡＧ−５０ＮＩ）に固定して、不織布とフックテープとを１００ｍｍ／ｍｉｎで剥離し、剥離が開始する力（単位Ｎ）を測定する。得られた値を測定対象の不織布の剥離力とする。
【００３７】
以上のペット用吸収性物品１は、第１弾性部材６１がペット用吸収性物品１の長手方向ＬＤに沿って伸長状態で一対のサイドシート５に固定されている。また、第２弾性部材６２がペット用吸収性物品１の長手方向ＬＤに沿って伸長状態でサイドシート５と裏面シート３１との間に固定されている。
そのため、ペット用吸収性物品１は、自然状態（外力を付加しない状態）では、第１弾性部材６１及び第２弾性部材６２が収縮して、図１に示すように、表面シート２側が内面を構成するように第１端部１１と第２端部１２とが近づいた立体的な形状となる。これにより、ペット用吸収性物品１の長手方向ＬＤに沿う一対の側部１７に、長手方向ＬＤに伸縮可能な一対の胴回りギャザー部１３が形成される（図１参照）。また、一対のサイドシート５における自由端側が立ち上がり、一対のサイドシート５の内面と表面シート２の外面との間に、それぞれ、ポケット部１４，１５が形成される（図５参照）。
【００３８】
次に、第１実施形態のペット用吸収性物品１をペットに取り付ける手順について、図７及び図８を参照しながら説明する。図７及び図８は、第１実施形態のペット用吸収性物品１をペットに装着する過程を示す図であり、図７は、第２端部１２をペットの背中に位置させた状態を示す図であり、図８は、ペット用吸収性物品１をペットの胴回りに装着した状態を示す図である。
【００３９】
まず、図７に示すように、ペット用吸収性物品１の第２端部１２をペットの背中に位置させて、この第２端部１２の近傍を装着者の片方の手で押さえる。次いで、第２端部１２の近傍を片方の手で押さえたまま、ペット用吸収性物品１の第１端部１１を他方の手で持って、ペット用吸収性物品１をペットの腹側を覆うように巻きつける。
【００４０】
次いで、ペット用吸収性物品１の第１端部１１を引っ張って、一対の胴回りギャザー部１３をペットの胴回りと密着させる。
次いで、図８に示すように、ペット用吸収性物品の第１端部１１の内面（表面シート２側の面）に配置されたフックテープ７を第２端部１２の外面（裏面シート３１側の面）に設けられた被係合部８に係合させる。これにより、ペット用吸収性物品１がペットの胴回りに巻きつけられる。
尚、ペットの胴回りに巻きつけたペット用吸収性物品１を取り外す場合には、ペット用吸収性物品１の第２端部１２を、一方の側部１７側から他方の側部１７側に向かって引っ張り、被係合部８とフックテープ７との係合を解除していく。
【００４１】
以上説明した第１実施形態のペット用吸収性物品１によれば、以下のような効果を奏する。
【００４２】
（１）フックテープ７をペット用吸収性物品１の内面（表面シート２側）に配置し、このフックテープ７と表面シート２との間に、表面シート２よりも剥離力の大きい補強部材９を配置してペット用吸収性物品１を構成した。これにより、フックテープ７と被係合部８との係合状態を解除する場合にフックテープ７が被係合部８に引っ張られる力を、補強部材９を介して表面シート２に伝えられるので、表面シート２におけるフックテープ７との接合部分に付加される力を弱められる。よって、フックテープ７と被係合部８との係合を解除する場合に表面シート２にかかる力を低減できるので、表面シート２側にフックテープ７を配置した場合であっても、表面シート２を破損することなく、ペット用吸収性物品１を繰り返し着脱させられる。
【００４３】
（２）ペットの胴回りに巻きつけたペット用吸収性物品１を取り外す場合には、ペット用吸収性物品１の第２端部１２を、一方の側部１７側から他方の側部１７側に向かって引っ張り、被係合部８とフックテープ７との係合を解除していく。そこで、補強部材９を、フックテープ７の長手方向の一端部の近傍及び他端部の近傍に配置した。これにより、被係合部８とフックテープ７との係合の解除を開始するときに、初めに力が加わるフックテープ７の長手方向の一端部の近傍又は他端部の近傍において、表面シート２に加わる力を低減できる。よって、補強部材９の使用量を抑制しつつ、表面シート２を補強できる。
【００４４】
（３）補強部材９のペット用吸収性物品１の長手方向ＬＤに沿う方向における長さＬ１を、フックテープ７の幅方向の長さＬ２よりも長く構成した。これにより、ペット用吸収性物品１の長手方向ＬＤに視た場合における補強部材９と表面シート２との接合面積（接合長さ）を、フックテープ７と補強部材９との接合面積（接合長さ）よりも広く構成できるので、フックテープ７と被係合部８との係合を解除する場合にフックテープ７から補強部材９に付加される力を、長手方向ＬＤに分散させて表面シート２に伝達させられる。よって、表面シート２に付加される力をより低減できるので、ペット用吸収性物品１を繰り返し使用した場合の耐久性を向上できる。
【００４５】
（４）補強部材９を、一対のサイドシート５の一部により構成した。これにより、表面シート２を補強する部材を別途設けることなく補強部材９を備えるペット用吸収性物品１を製造できるので、ペット用吸収性物品１の製造に係る部材の点数を削減できる。
【００４６】
（５）裏面層３を、フックテープ７に係合可能な不織布により構成される裏面シート３１を含んで構成し、この裏面シート３１により被係合部８を構成した。これにより、フックテープ７に係合可能な部材を別途配置することなく、フックテープ７を係合させられるので、ペット用吸収性物品１の製造に係る部材の点数を削減できる。
【００４７】
次に、本発明の第２実施形態に係るペット用吸収性物品１について、図９を参照しながら説明する。図９は、第２実施形態のペット用吸収性物品１を表面シート２側から視た平面図である。
尚、第２実施形態以降の説明にあたって、同一構成要件については同一符号を付し、その説明を省略もしくは簡略化する。
【００４８】
第２実施形態のペット用吸収性物品１は、主として、及びサイドシート５Ａの構成が異なる点で、第２実施形態と異なる。
より具体的には、第２実施形態では、一対のサイドシート５Ａは、親水性不織布により構成される。また、一対のサイドシート５Ａそれぞれの内側縁には、第１弾性部材６１は配置されていない。このように、一対のサイドシート５Ａそれぞれの内側縁に第１弾性部材６１を配置しない場合、一対のサイドシート５Ａにおける自由端側が立ち上がることがなくなり、一対のサイドシートＡの各内面と表面シート２の外面との間には、ポケット部が形成されない。
【００４９】
また、第２実施形態では、図９に示すように、吸収体４は、第１端部１１の端縁近傍まで延びて配置されている。また、フックテープ７のペット用吸収性物品１の幅方向ＷＤに沿う方向の長さＷ１は、吸収体４の幅Ｗ２よりも短く構成されている。
【００５０】
第２実施形態のペット用吸収性物品１によれば、上述した（１）〜（５）の作用効果を奏する。
【００５１】
次に、本発明の第３実施形態に係るペット用吸収性物品１について、図１０及び図１１を参照しながら説明する。図１０は、第３実施形態のペット用吸収性物品１を表面シート側から視た平面図であり、図１１は、図１０のＤ−Ｄ線断面図である。
【００５２】
第３実施形態のペット用吸収性物品１は、主として、補強部材９Ｂがサイドシート５と別個独立に構成されている点で、第１実施形態と異なる。
補強部材９Ｂは、一対のサイドシート５とは別個独立に、ペット用吸収性物品１の幅方向ＷＤに延びる矩形形状に形成される。また、補強部材９Ｂは、不織布により構成される。即ち、第３実施形態では、補強部材９Ｂは、フックテープ７と表面シート２との間の全域に亘って配置されている。
【００５３】
第３実施形態のペット用吸収性物品１によれば、上述した（１）〜（５）の作用効果を奏する他、以下のような効果を奏する。
【００５４】
（６）補強部材９Ｂを、サイドシート５と別個独立に構成した。よって、サイドシート５の剥離力に依存することなく、サイドシート５を構成する不織布を選択できる。
【００５５】
以上、本発明の好ましい各実施形態について説明したが、本発明は、上述した各実施形態に制限されるものではなく、適宜変更が可能である。
【００５６】
例えば、上述した各実施形態では、裏面層３を、裏面シート３１及び防水シート３２の２層により構成したが、これに限らない。即ち、裏面層を、裏面シート又は防水シートのみにより構成してもよい。
【００５７】
また、上述した各実施形態では、サイドシート５を不織布により構成したが、これに限らない。即ち、サイドシートを、ポリエチレン、ポリプロピレン、又はポリエチレンテレフタレート等のフィルムにより構成してもよい。
【００５８】
また、第３実施形態では、補強部材９Ｂを不織布により構成したが、これに限らない。即ち、補強部材をフィルムにより構成してもよい。この場合、補強部材を、ペット用吸収性物品１における尿等の吸収を阻害しない位置に配置することが好ましい。
また、第１実施形態〜第３実施形態では、第１端部１１の内面に係合部材としてのフックテープ７を配置したが、これに限らない。即ち、第１端部１１の内面に、係合部材としてのループ材を配置してもよい。この場合、第２端部１２の外面に、このループ材に係合可能なフックテープを配置してもよい。
【符号の説明】
【００５９】
１  ペット用吸収性物品
２  表面シート（表面層）
３  裏面層
４  吸収体
５，５Ａ  サイドシート
７  フックテープ（係合部材）
８  被係合部
９，９Ｂ  補強部材
１１  第１端部
１２  第２端部
１７  側部
３１  裏面シート
３２  防水シート
【図１】
0005858677.tif 000002
【図２】
0005858677.tif 000003
【図３】
0005858677.tif 000004
【図４】
0005858677.tif 000005
【図５】
0005858677.tif 000006
【図６】
0005858677.tif 000007
【図７】
0005858677.tif 000008
【図８】
0005858677.tif 000009
【図９】
0005858677.tif 000010
【図１０】
0005858677.tif 000011
【図１１】
0005858677.tif 000012